(57)【要約】【課題】  回転多面鏡により偏向されたレーザビームを感光体表面に結像させるためのレンズをフレームに固定する機構において、組立て時の悪影響を排除しながら、良好にレンズをフレームに装着できるようにする。【解決手段】  シリンドリカルレンズ６４ｂは、レーザビームが透過する透過領域から筐体側に外れた非透過領域の、レーザビームが出射する出射面における主走査方向の中心部に凹部７８ｂが形成されており、ポリゴンミラーを支持する筐体は、支持面８０ｂに固定された係合爪７４ｂを備えている。シリンドリカルレンズ６４ｂを固定する際には、係合爪７４ｂが凹部７８ｂと係合し、シリンドリカルレンズ６４ｂにおける主走査方向の中心部を固定するので、シリンドリカルレンズ６４ｂにおける主走査方向の中心部が副走査方向に移動することを防止することができる。【選択図】  図６
2005221977.tif 000002
【特許請求の範囲】
【請求項１】
回転多面鏡により偏向されたレーザビームを感光体表面に結像させるためのレンズを、前記回転多面鏡を支持するフレームに固定するためのレンズ固定機構において、
前記レンズは、前記レーザビームが入射する入射面と前記レーザビームが出射する出射面とを形成するレンズ部と、該レンズ部の副走査方向の一端に位置し、光軸方向に沿って前記入射面または出射面から突出するリブと、を有し、
前記フレームは、前記リブと当接し、前記レンズを支持するレンズ支持面と、該レンズ支持面から突出し、光軸方向に沿って延びる係合爪と、を有し、
前記係合爪が前記レンズの主走査方向の中心部において前記リブと係合することで、前記レンズが前記フレームに固定されることを特徴とするレンズ固定機構。
【請求項２】
前記レンズ支持面は、副走査方向に沿って突出する突起を有し、
前記リブは、前記突起により当接支持されることを特徴とする請求項１に記載のレンズ固定機構。
【請求項３】
前記レンズの主走査方向の両端部を、前記レンズ支持面に固定する固定手段を備えたことを特徴とする請求項１または２に記載のレンズ固定機構。
【請求項４】
前記固定手段は、前記レンズを主走査方向において伸縮可能に固定することを特徴とする請求項１乃至３のいずれかに記載のレンズ固定機構。
【請求項５】
前記固定手段は、前記フレームの一部として構成される基準部材を有し、
前記基準部材は、光軸方向において前記レンズを位置決めするために、前記レンズの両端部に当接する当接部を有することを特徴とする請求項３または４に記載のレンズ固定機構。
【請求項６】
前記係合爪は、前記リブと係合した際に、前記レンズ部との間に間隙を有することを特徴とする請求項５に記載のレンズ固定機構。
【請求項７】
前記固定手段は、前記基準部材に対して前記レンズを付勢する付勢手段を有することを特徴とする請求項５または６に記載のレンズ固定機構。
【請求項８】
回転多面鏡により偏向されたレーザビームを感光体表面に結像させるためのレンズを、前記回転多面鏡を支持するフレームに固定するためのレンズ固定機構において、
前記レンズは、前記レーザビームが透過する透過領域と、該透過領域から外れた領域であって、該透過領域の副走査方向の一端に位置する非透過領域と、を有し、
前記フレームは、前記非透過領域と当接し、前記レンズを支持するレンズ支持面と、該レンズ支持面から突出し、光軸方向に沿って延びる係合爪と、を有し、
前記非透過領域は、前記レーザビームが入射する入射面または前記レーザビームが出射する出射面における主走査方向の中心部に凹部を有し、
前記係合爪が前記凹部と係合することで、前記レンズが前記フレームに固定されることを特徴とするレンズ固定機構。
【請求項９】
前記レンズ支持面は、副走査方向に沿って突出する突起を有し、
前記非透過領域は、前記突起により当接支持されることを特徴とする請求項８に記載のレンズ固定機構。
【請求項１０】
前記係合爪は、前記凹部と係合した際に、前記凹部の主走査方向に間隔を置いて位置する２つの壁面と当接するように構成されていることを特徴とする請求項８または９に記載のレンズ固定機構。
【請求項１１】
前記レンズの主走査方向の両端部を、前記レンズ支持面に固定する固定手段を備えたことを特徴とする請求項８乃至１０のいずれかに記載のレンズ固定機構。
【請求項１２】
前記固定手段は、前記レンズを前記主走査方向において伸縮可能に固定することを特徴とする請求項１１に記載のレンズ固定機構。
【請求項１３】
前記固定手段は、前記フレームの一部として構成される基準部材を有し、
前記基準部材は光軸方向において前記レンズを位置決めするために、前記レンズの両端部に当接する当接部を有することを特徴とする請求項１１または１２に記載のレンズ固定機構。
【請求項１４】
前記凹部は、光軸方向に位置する壁面を有し、
前記係合爪は、前記凹部と係合した際に、前記光軸方向に位置する壁面との間に間隙を有することを特徴とする請求項１３に記載のレンズ固定機構。
【請求項１５】
前記固定手段は、前記基準部材に対して前記レンズを付勢する付勢手段を有することを特徴とする請求項１３または１４に記載のレンズ固定機構。
【請求項１６】
レーザビームを発光するレーザ発光部と、
前記レーザ発光部により発光されたレーザビームを偏向する回転多面鏡と、
前記回転多面鏡により偏向されたレーザビームを感光体表面に結像させるレンズと、
前記回転多面鏡および前記レンズを支持するフレームと、
を備えた光学走査装置において、
前記レンズは、前記レーザビームが入射する入射面と前記レーザビームが出射する出射面とを形成するレンズ部と、該レンズ部の副走査方向の一端に位置し、光軸方向に沿って前記入射面または出射面から突出するリブと、を有し、
前記フレームは、前記リブと当接し、前記レンズを支持するレンズ支持面と、該レンズ支持面から突出し、光軸方向に沿って延びる係合爪と、を有し、
前記係合爪が前記レンズの主走査方向の中心部において前記リブと係合することで、前記レンズが前記フレームに固定されることを特徴とする光学走査装置。
【請求項１７】
レーザビームを発光するレーザ発光部と、
前記レーザ発光部により発光されたレーザビームを偏向する回転多面鏡と、
前記回転多面鏡により偏向されたレーザビームを感光体表面に結像させるレンズと、
前記回転多面鏡および前記レンズを支持するフレームと、
を備えた光学走査装置において、
前記レンズは、前記レーザビームが透過する透過領域と、該透過領域から外れた領域であって、該透過領域の副走査方向の一端に位置する非透過領域と、を有し、
前記フレームは、前記非透過領域と当接し、前記レンズを支持するレンズ支持面と、該レンズ支持面から突出し、光軸方向に沿って延びる係合爪と、を有し、
前記非透過領域は、レーザビームが入射する入射面またはレーザビームが出射する出射面における主走査方向の中心部に凹部を有し、
前記係合爪が前記凹部と係合することで、前記レンズが前記フレームに固定されることを特徴とする光学走査装置。
【請求項１８】
請求項１６または１７に記載の光学走査装置と、
前記光学走査装置から照射されたレーザビームにより静電潜像が形成される感光体と、
前記静電潜像に現像剤を供給して現像剤像を形成する現像部と、
前記現像部によって形成された現像剤像を記録媒体に転写する転写部と、
前記転写部によって転写された現像剤像を前記記録媒体に定着させる定着部と、
を備えることを特徴とする画像形成装置。
【発明の詳細な説明】
【技術分野】
【０００１】
本発明は、回転多面鏡により偏向されたレーザビームを感光体表面に結像させるためのレンズを固定するためのレンズ固定機構、光学走査装置、および画像形成装置に関する。
【背景技術】
【０００２】
従来より、静電潜像方式の画像形成装置において、回転多面鏡により偏向されたレーザビームを感光体表面に結像させるためのレンズをフレームに固定するための装置として、レンズの両端部および中央部の３箇所にて、レンズに応力が加わらないようレンズを伸縮可能に固定するものが知られている（例えば、特許文献１参照）。
【０００３】
即ち、上記装置において、レンズの両端部の長手方向(主走査方向)には、それぞれＶ字状の溝が形成され、これらの各溝にレンズを支持するための球が係合されるように構成されていた。さらに、レンズ中央部おいては、レンズ全体が長手方向に移動するのを防止するために、レンズの長手方向と直交する方向にＶ字状の溝が形成され、レンズ両端部同様に、レンズを支持するための球が溝に係合されるよう構成されていた。
【０００４】
そして、各球の上にレンズを載置した後で、レンズの両端部においては、球とレンズとを係止部材を用いて密着させることにより、レンズがフレームから遠ざかる方向に移動しないようにしていた。
【特許文献１】特開平１１−３２６８０１号公報
【発明の開示】
【発明が解決しようとする課題】
【０００５】
しかしながら、上記装置におけるレンズの中央部においては、レンズがフレームから遠ざかる方向へ移動してしまうのを規制するような構成が成されていなかった。即ち、レンズの中央部においては、単にレンズが球に載置される構成にされているため、熱変形等により、球とレンズとが離れる方向にレンズが変形した場合、球とレンズとが離れてしまい、レンズの中心位置がフレームから遠ざかる方向へずれてしまう。このため、このレンズを透過するレーザビームの光路もずれてしまうという問題点があった。
【０００６】
この問題を解決するためには、レンズ中央部をフレームの反対側から、該フレームに押圧する方法や、レンズ中央部を接着剤によりフレームに直接固定する方法等が考えられる。
【０００７】
ところが、レンズ中央部をフレームの反対側から押圧する方法では、レンズ中央部を押圧する押圧部材を、レンズを介して、フレームの反対側で支持する支持部材が別途必要とされる。この場合、支持部材は、レーザビームの光路を遮ることなく押圧部材を支持するために、レンズの主走査方向の両端部からレンズ中央部に延びて形成されなければならず、このような構成とすると装置全体が大型化してしまうという問題がある。また、このような部材を組立てる際に手間も掛かってしまう。
【０００８】
一方、レンズ中央部を接着剤によりフレームに直接固定する方法では、接着剤が固まるまでにレンズの位置がずれてしまったり、接着剤がレーザビームの光路上に付着してしまったりするという問題点が発生する。
【０００９】
そこで、本発明は、このような問題点を鑑み、組立て時の悪影響を排除しながら、良好にレーザビームを感光体表面に結像させるためのレンズをフレームに装着できるようにしたレンズ固定機構、光学走査装置、および画像形成装置を提供することを目的とする。
【課題を解決するための手段】
【００１０】
かかる目的を達成するために成された第１のレンズ固定機構（請求項１）において、回転多面鏡により偏向されたレーザビームを感光体表面に結像させるためのレンズは、レーザビームが入射する入射面とレーザビームが出射する出射面とを形成するレンズ部と、レンズ部の副走査方向の一端に位置し、光軸方向に沿って入射面または出射面から突出するリブと、を備えている。
【００１１】
また、回転多面鏡を支持するフレームは、リブと当接し、レンズを支持するレンズ支持面と、レンズ支持面から突出し、光軸方向に沿って延びる係合爪と、を備えている。
そして、フレームに備えられた係合爪は、レンズの主走査方向の中心部においてリブと係合することで、レンズがフレームに固定される。
【００１２】
このように構成されたレンズ固定機構によれば、フレームに備えられた係合爪が、レンズにおける主走査方向の中心部を固定するので、レンズにおける主走査方向の中心部が副走査方向に移動することを防止することができる。
【００１３】
なお、上述のレンズ支持面は、レンズを支持するための精度を向上させるために、副走査方向に突出する突起を有し、この突起によりリブを当接支持するように構成してもよい。この場合、前記突起は、少なくとも３つ用意し、３点でリブを当接支持することが望ましい。
【００１４】
次に、上記発明と同様の目的を達成するために成された第２のレンズ固定機構（請求項８）において、回転多面鏡により偏向されたレーザビームを感光体表面に結像させるためのレンズは、レーザビームが透過する透過領域と、透過領域から外れた領域であって、透過領域の副走査方向の一端に位置する非透過領域と、を備えている。さらに、このレンズの非透過領域は、レーザビームが入射する入射面またはレーザビームが出射する出射面における主走査方向の中央部に凹部を有している。
【００１５】
また、回転多面鏡を支持するフレームは、非透過領域と当接し、レンズを支持するレンズ支持面と、レンズ支持面から突出し、光軸方向に沿って延びる係合爪と、を備えている。
【００１６】
そして、フレームに備えられた係合爪は、レンズに形成された凹部と係合することで、レンズがフレームに固定される。
このように構成されたレンズ固定機構によれば、フレームに備えられた係合爪が、レンズの凹部と係合し、レンズにおける主走査方向の中心部を固定するので、レンズにおける主走査方向の中心部が副走査方向に移動することを防止することができる。
【００１７】
なお、第１のレンズ固定機構と同様に、レンズ支持面は、レンズを支持するための精度を向上させるために、副走査方向に突出する突起を有し、この突起によりリブを当接支持するように構成してもよい。この場合、前記突起は、少なくとも３つ用意し、３点でリブを当接支持することが望ましい。
【００１８】
また、第２のレンズ固定機構において、係合爪は、凹部と係合した際に、この係合爪と、凹部における主走査方向に間隔を置いて位置する２つの壁面と、の間に間隙が形成されるように構成されていてもよいが、より好ましくは、係合爪は、凹部における主走査方向に間隔を置いて位置する２つの壁面とに当接するように構成されていることが望ましい。
【００１９】
このように構成されたレンズ固定機構によれば、係合爪の主走査方向の端面と凹部とが当接し、主走査方向において係合爪と凹部との位置関係は変化することがないので、レンズ中央部を主走査方向に対して位置決めすることができる。
【００２０】
ところで、第１のレンズ固定機構および第２のレンズ固定機構において、レンズは、主走査方向の中心部のみで固定されていてもよいが、主走査方向の両端部でも固定されていることが望ましい。即ち、この構成としては、レンズにおける主走査方向の両端部をレンズ支持面に固定する固定手段を備えていればよい。
【００２１】
このように構成されたレンズ固定機構によれば、レンズにおける主走査方向の両端部が、副走査方向に移動することを防止することができることは勿論のこと、両端部が振動等によりぐらつくことを防止することができる。
【００２２】
加えて、固定手段は、レンズを主走査方向において伸縮可能に固定することが望ましい。
つまり、レンズの主走査方向における伸縮歪みが発生した場合に、レンズの両端部が主走査方向に移動不能に固定されていると、レンズの内部に応力が発生し、このレンズを透過するレーザビームの特性に影響を及ぼす虞があるため、レンズの内部に応力が発生しないように、レンズの両端部が主走査方向において移動可能に固定するのである。
【００２３】
従って、このように構成されたレンズ固定機構によれば、レンズの主走査方向における伸縮歪みが生じても、レンズ両端部を自然に移動させることができるので、レンズ内部に応力を発生させることなく、レーザビームを良好に透過させることができる。
【００２４】
また、レンズの光軸方向における位置決めは、レンズの両端部をレンズ位置の基準となる部材に当接されて成されていることが望ましい。
そして、このためには、固定手段は、フレームの一部として構成される基準部材を有し、基準部材は、光軸方向においてレンズを位置決めするために、レンズの両端部に当接する当接部を備えていればよい。
【００２５】
このように構成されたレンズ固定機構によれば、レンズは、レンズ両端部の２箇所で当接部と当接して位置決めが成されるので、レンズを確実に基準位置に固定することができる。
【００２６】
さらに、第１のレンズ固定機構においては、レンズの両端部と当接部とが当接することにより、レンズの光軸方向における位置決めを行う場合には、係合爪は、リブと係合した際にレンズ部との間に間隙を有するように設定することが望ましい。この間隙は、レンズの両端部の２箇所にて、レンズと当接部とが確実に当接するために十分な寸法を有する必要がある。
【００２７】
また、第２のレンズ固定機構においては、レンズの両端部と当接部とが当接することにより、レンズの光軸方向における位置決めを行う場合には、係合爪は、凹部と係合した際に、凹部における光軸方向に位置する壁面との間に間隙を有するよう設定することが好ましい。この間隙は、レンズの両端部の２箇所にて、レンズと当接部とが確実に当接するために十分な寸法を有する必要がある。
【００２８】
このように構成されたレンズ固定機構によれば、係合爪とレンズ部、あるいは係合爪と凹部とは、光軸方向において当接しないため、レンズ両端部が基準部材の当接部と当接して位置決めがなされる際、係合爪が邪魔になることはない。
【００２９】
加えて、第１のレンズ固定機構および第２のレンズ固定機構において、固定手段には、基準部材に対してレンズを付勢する付勢手段を有することが好ましい。
このように構成されたレンズ固定機構によれば、付勢手段によりレンズを基準部材の方向に適切な押圧力にて密着することができるので、レンズが基準位置からずれてしまうことを確実に防止することができる。
【００３０】
なお、上述のレンズ固定機構は、例えば、静電写真方式の画像形成装置や、半導体の製造する際に使用するフォトマスクのパターンを描画する描画装置等、に使用されるレンズを固定する機構として使用することができる。
【００３１】
次に、上記目的を達成するために成された第１の光学走査装置（請求項１６）においては、レーザビームを発光するレーザ発光部と、レーザ発光部により発光されたレーザビームを偏向する回転多面鏡と、回転多面鏡により偏向されたレーザビームを感光体表面に結像させるレンズと、回転多面鏡およびレンズを支持するフレームと、を備えている。
【００３２】
レンズは、レーザビームが入射する入射面とレーザビームが出射する出射面とを形成するレンズ部と、レンズ部の副走査方向の一端に位置し、光軸方向に沿って入射面または出射面から突出するリブと、を備えている。
【００３３】
また、フレームは、リブと当接し、レンズを支持するレンズ支持面と、レンズ支持面から突出し、光軸方向に沿って延びる係合爪と、を備えている。
そして、フレームに備えられた係合爪は、レンズの主走査方向の中心部においてリブと係合することで、レンズがフレームに固定される。
【００３４】
このように構成された光学走査装置によれば、フレームに備えられた係合爪が、レンズにおける主走査方向の中心部を固定するので、レンズにおける主走査方向の中心部が副走査方向に移動することを防止することができる。
【００３５】
また、上記目的を達成するために成された第２の光学走査装置（請求項１７）においては、レーザビームを発光するレーザ発光部と、レーザ発光部により発光されたレーザビームを偏向する回転多面鏡と、回転多面鏡により偏向されたレーザビームを感光体表面に結像させるレンズと、回転多面鏡およびレンズを支持するフレームと、を備えている。
【００３６】
レンズは、レーザビームが透過する透過領域と、透過領域から外れた領域であって、透過領域の副走査方向の一端に位置する非透過領域と、を備えている。さらに、このレンズの非透過領域は、レーザビームが入射する入射面またはレーザビームが出射する出射面における主走査方向の中央部に凹部を有している。
【００３７】
また、フレームは、非透過領域と当接し、レンズを支持するレンズ支持面と、レンズ支持面から突出し、光軸方向に沿って延びる係合爪と、を備えている。
そして、フレームに備えられた係合爪は、レンズに形成された凹部と係合することで、レンズがフレームに固定されるよう構成されている。
【００３８】
このように構成された光学走査装置によれば、フレームに備えられた係合爪が、レンズの凹部と係合し、レンズにおける主走査方向の中心部を固定するので、レンズにおける主走査方向の中心部が副走査方向に移動することを防止することができる。
【００３９】
なお、上述の光学走査装置は、例えば、静電写真方式の画像形成装置や、半導体の製造する際に使用するフォトマスクのパターンを描画する描画装置等、に使用される光学走査装置として使用することができる。
【００４０】
次に、上記目的を達成するために成された画像形成装置（請求項１８）においては、第１または第２の光学走査装置と、第１または第２の光学走査装置から照射されたレーザビームにより静電潜像が形成される感光体と、静電潜像に現像剤を供給して現像剤像を形成する現像部と、現像部により形成された現像剤像を記録媒体に転写する転写部と、転写部により転写された現像剤像を記録媒体に定着させる定着部と、を備えている。
【００４１】
このように構成された画像形成装置によれば、光学走査装置に第１または第２に記載の光学走査装置を使用しているので、感光体上に良好な静電潜像を形成することができ、延いては良好な画像を形成することができる。
【発明を実施するための最良の形態】
【００４２】
以下、本発明が適用された実施の形態について図面を用いて説明する。なお、本発明の実施の形態は、下記の実施の形態に何ら限定されることなく、本発明の技術的範囲に属する限り種々の形態を採りうることは言うまでもない。
【実施例１】
【００４３】
本発明が適用された実施例１のレーザプリンタ１ａ（本発明でいう画像形成装置）の概略について、図１および図２を用いて説明する。図１はレーザプリンタ１ａを示す概略断面図、図２はレーザプリンタ１ａを構成するスキャナユニット５０（本発明でいう光学走査装置）の一部を示す模式図である。
【００４４】
なお、図１に関しては、このレーザプリンタ１ａにおいて、表示部２ａおよび操作部２ｂが本体ケース２に取り付けられている側（図１で右側）を「前部」とし、排紙トレイ３６が本体ケース２に形成されている側（図１で左側）を「後部」として説明する。
【００４５】
本実施例のレーザプリンタ１ａは、図１に示すように、本体ケース２内に、用紙を給紙するためのフィーダ部４、給紙された用紙に所定の画像を形成するためのプロセスユニット１８、および用紙に形成された画像を定着させるための定着装置１９（本発明でいう定着部）等を備えている。
【００４６】
また、本体ケース２の上部には、レーザプリンタ１ａの作動状況等を表示する表示部２ａ、およびレーザプリンタ１ａの動作設定等を行う操作部２ｂを備えている。
なお、表示部２ａは、ＬＣＤ（液晶カラーディスプレイ）やＬＥＤ（発光ダイオード）等により構成されており、操作部２ｂは、各種設定入力用スイッチや電源スイッチ等により構成されている。
【００４７】
そして、本体ケース２の前部および上部には開口部２ｃが設けられており、この開口部２ｃは、蓋部２ｄによって覆われている。この蓋部２ｄは、回転軸２ｅを中心にして回転することにより、開口部２ｃを覆う位置と開口部２ｃを覆わない位置とで移動可能に構成されている。また、本体ケース２の上部には、画像形成後の用紙を排紙するための排紙トレイ３６が形成されている。
【００４８】
フィーダ部４は、本体ケース２内の底部に、着脱可能に装着された給紙トレイ６と、給紙トレイ６内に設けられた用紙押圧板（図示省略）と、給紙トレイ６の一端側端部の上方に設けられる給紙ローラ１２および分離パット（図示省略）とを備えている。なお、給紙ローラ１２は、用紙の搬送方向に直交する方向の幅寸法が用紙の幅寸法より短く形成され、給紙時において、用紙の幅方向の略中央部のみと接触するように配置されている。また、給紙ローラ１２から画像形成位置Ｐ（感光体ドラム２３と転写ローラ２５との接触部、つまり感光体ドラム２３上のトナー像が用紙に転写される転写位置）までの間には、湾曲状に形成された搬送経路７が配置されている。なお、本実施例のレーザプリンタ１ａでは、１つのフィーダ部４を備えているが、この構成に限らず、２つ以上のフィーダ部４を備えるようにしてもよい。
【００４９】
一方、搬送経路７は、用紙の広幅面を案内する一対のガイド板が配置されることにより湾曲状に形成されている。また、この搬送経路７には、用紙搬送の上流側から順に、給紙ローラ１２および一対のレジストローラ９が配置されている。このうちレジストローラ９は、画像形成位置Ｐの手前に配置され、従動ローラ９ｂと駆動ローラ９ａとから構成されている。
【００５０】
以上のように構成されたフィーダ部４においては、図示しない用紙押圧板上に積層された用紙のうち最上位にある用紙が、給紙ローラ１２に向かって押圧され、その給紙ローラ１２の回転によって給紙ローラ１２と図示しない分離パットとで挟まれた後、１枚毎に給紙される。給紙された用紙は、レジストローラ９に送られ、レジスト処理が行われたのちにレジストローラ９によって画像形成位置Ｐに送られる。
【００５１】
プロセスユニット１８は、本体ケース２内部のうち前部側に配置されている。このプロセスユニット１８は、ドラムカートリッジ３０と、現像カートリッジ２４（本発明でいう現像部）とから構成されている。このうちドラムカートリッジ３０には、感光体ドラム２３（本発明でいう感光体）、スコロトロン型帯電器３７、および転写ローラ２５（本発明でいう転写部）等が備えられている。また、現像カートリッジ２４には、トナー収容部２６、現像ローラ２７、層厚規制ブレード２８、およびトナー供給ローラ２９等が備えられている。なお、上述の感光体ドラム２３および現像ローラ２７は、レーザプリンタ１ａの底面に対して略水平に配置されている。
【００５２】
トナー収容部２６には、正帯電性の非磁性１成分の重合トナーが充填されている。このトナーは、トナー供給ローラ２９によって現像ローラ２７に供給される。この際、トナー供給ローラ２９と現像ローラ２７との間で摩擦によって正極性に帯電する。さらに、現像ローラ２７上に供給されたトナーは、現像ローラ２７の回転に伴って、層厚規制ブレード２８の摺擦により一定厚さの薄層として現像ローラ２７上に担持される。一方、回転する感光体ドラム２３は現像ローラ２７と対向して配置され、ドラム本体が設置されると共に、その表面が有機系感光体材料、例えば、ポリカーボネートなどから構成される、正極性に帯電する感光層により形成されている。
【００５３】
スコロトロン型帯電器３７は、感光体ドラム２３の上方に、感光体ドラム２３に接触しないように、所定の間隔を隔てて配設されている。スコロトロン型帯電器３７は、タングステンなどの帯電用ワイヤからコロナ放電を発生させる正帯電用のスコロトロン型の帯電器であり、感光体ドラム２３の表面を一様に正極性に帯電させるように構成されている。
【００５４】
そして、感光体ドラム２３の表面は、その感光体ドラム２３の回転に伴って、まず、スコロトロン型帯電器３７により一様に正極性に帯電された後、スキャナユニット５０からのレーザビームの高速走査により露光され、所定の画像データに基づく静電潜像が形成される。
【００５５】
次いで、現像ローラ２７の回転により、現像ローラ２７上に担持され、且つ正極性に帯電されているトナーが、感光体ドラム２３に対向して接触する時に、感光体ドラム２３の表面に形成される静電潜像（一様に正極性に帯電されている感光体ドラム２３の表面のうち、レーザビームによって露光され電位が下がっている露光部分）に供給され、選択的に担持されることによって可視像化され、これによってトナー像（現像剤像）が形成される。
【００５６】
転写ローラ２５は、感光体ドラム２３の下方において、この感光体ドラム２３に対向するように配置され、図１において反時計方向に回転可能なように前記ドラムカートリッジによって支持されている。この転写ローラ２５は、金属製のローラ軸に、イオン導電性のゴム材料からなるローラが被覆されており、転写時には、転写バイアス印加電源から転写バイアス（転写順バイアス）が印加されるように構成されている。そのため、感光体ドラム２３の表面に担持されたトナー像は、用紙が感光体ドラム２３と転写ローラ２５との間を通る間に、画像形成位置Ｐにて用紙に転写される。そしてトナー像が転写された用紙は、感光体ドラム２３および転写ローラ２５の回転により定着装置１９に搬送される。
【００５７】
以上のように構成されたプロセスユニット１８は、本体ケース２の開口部２ｃから取り出し、その後開口部２ｃから本体ケース２内へ再び収納することができる。なお、本体ケース２内から取り出されたプロセスユニット１８は、ドラムカートリッジと現像カートリッジ２４とに分離させることもできる。
【００５８】
定着装置１９は、プロセスユニット１８より後方の搬送方向下流側に配設され、１つの加熱ローラ３１と、この加熱ローラ３１を押圧するように配置された加圧ローラ３２と、これらの下流側に設けられる一対の搬送ローラ３３を備えている。加熱ローラ３１は、アルミ等の金属製で加熱のためのハロゲンランプ等のヒータを備えておリブロセスユニット１８において用紙上に転写されたトナーを、用紙が加熱ローラ３１と加圧ローラ３２との間を通過する間に熱定着させる。その後、用紙は搬送ローラ３３によって、本体ケース２内の一側の排紙パスにおける搬送ローラ（図示省略）および排紙ローラ（図示省略）により搬送され、その後排紙トレイ３６上に排紙される。
【００５９】
スキャナユニット５０は、本体ケース２内の上部に配置されている。このスキャナユニット５０は、筐体５１（本発明でいうフレーム）の内部に、レーザ発光部６６（図２参照）、ポリゴンモータ６０、ポリゴンモータ６０によって回転駆動されるポリゴンミラー６１（本発明でいう回転多面鏡）、ｆθレンズ６２、反射ミラー６３、シリンドリカルレンズ６４ａ（本発明でいうレンズ）、および反射ミラー６５等を備えている。
【００６０】
そして、このスキャナユニット５０を構成する各部は、図１および図２に示すように、レーザ発光部６６によって発光されたのちにポリゴンミラー６１によって反射されたレーザビームが、ｆθレンズ６２、反射ミラー６３、シリンドリカルレンズ６４ａ、反射ミラー６５の順に透過または反射するよう配置されている。なお、図１および図２における２点鎖線は、レーザビームの光路を示すものである。
【００６１】
次に、ポリゴンモータ６０の回転軸６０ａにはポリゴンミラー６１が取り付けられている。このポリゴンミラー６１は、多面形形状で、その各辺部に六つの鏡面が設けられた構成を有しており、ポリゴンモータ６０によって回転駆動されると、照射されたレーザビームを主走査方向に走査する機能を有する。また、本実施形態においては、ポリゴンミラー６１は、ポリゴンモータ６０の回転軸６０ａに取り付けられることによりプロセスユニット１８の感光体ドラム２３と定着装置１９の加熱ローラ３１との間に配置されている。
【００６２】
また、ｆθレンズ６２は、本実施形態においては、定着装置１９内の前部に位置する加熱ローラ３１の上方に配置されている。ｆθレンズ６２は、ポリゴンミラー６１によって反射され、等角速度に走査されたレーザビームを等速度走査に変換する、走査速度変換機能を有している。
【００６３】
さらに、反射ミラー６３は、本実施形態においては、定着装置１９内の後部に位置する搬送ローラ３３の上方に配置されている。反射ミラー６３は、ｆθレンズ６２を通過したレーザビームをプロセスユニット１８の上方へ向けて折り返し反射する。
【００６４】
また、シリンドリカルレンズ６４ａは、本実施形態においては、ポリゴンモータ６０およびポリゴンミラー６１の上方に配置されている。シリンドリカルレンズ６４ａは、ポリゴンミラー６１により規定された方向とは異なる方向に反射されたレーザビームを副走査方向に補正する、面倒れ補正機能を有している。
【００６５】
以下、上述のシリンドリカルレンズ６４ａについて図３を参照して説明する。なお、図３はシリンドリカルレンズ６４ａを示す概略図であり、図３(Ａ)は図１の矢印Ｘ方向から見た側面図であり、図３（Ｂ）は図１の矢印Ｙ方向から見た上面図（図３（Ａ）においてシリンドリカルレンズ６４ａを上方から見た図）である。また、以降、このシリンドリカルレンズ６４ａにおいて、反射ミラー６３によって反射されたレーザビームがシリンドリカルレンズ６４ａへ向けて進行する方向（即ち、レーザビームが進行する方向）を光軸方向とし、反射ミラー６３によって反射されたレーザビームがシリンドリカルレンズ６４ａを通過する際に左右に走査する方向（即ち、ポリゴンミラー６１によりレーザビームが偏向走査される方向）を主走査方向とし、光軸方向および主走査方向に対して直交する方向を副走査方向とする。
【００６６】
このシリンドリカルレンズ６４ａは、例えば、非晶質のオレフィン系樹脂や結晶質のオレフィン系樹脂などの吸湿性が低い樹脂材料を射出整形することにより一体構成されており、図３に示すように、レンズ部７１ａと、リブ７２ａとを備えている。
【００６７】
レンズ部７１ａは、レーザビームが通過（透過）する領域９５ａ（透過領域：図３においては一点鎖線に囲まれる領域）を有し、主走査方向両端部から中心部に向かって湾曲し、主走査方向中心部を通過する断面を基準に対象となるように構成されている。レーザビームは、湾曲しているレンズ部７１ａの内側の面１７１ａ（入射面）から外側の面２７１ａ(出射面)に向かって通過する。
【００６８】
リブ７２ａは、レンズ部７１ａを支持する部材であって、レンズ部７１ａの周囲を取り囲むように位置している。このリブ７２ａは、シリンドリカルレンズ６４ａを固定するときに、主走査方向中央部において筐体５１側の係合爪７４ａ（図４参照）と係合し、副走査方向にシリンドリカルレンズ６４ａが移動するのを規制するために使用される。
【００６９】
このシリンドリカルレンズ６４ａを固定するときの様子について、図４を用いて詳述する。図４はシリンドリカルレンズ６４ａの固定状態を示し、図４（Ａ）は、図３（Ｂ）においてシリンドリカルレンズ６４ａを固定した状態における上面図、図４（Ｂ）は、主走査方向中心部Ａ−Ａにおける断面図、図４（Ｃ）は、主走査方向端部近傍Ｂ−Ｂにおける断面図である。
【００７０】
シリンドリカルレンズ６４ａの主走査方向中央部は、前述のリブ７２ａと、スキャナユニット５０に形成されている係合爪７４ａとが係合することにより固定される。
係合爪７４ａは、図４（Ｂ）に示すように、シリンドリカルレンズ６４ａを支持する筐体５１の一部である支持面８０ａ（本発明でいうレンズ支持面）から略リブ７２ａの厚み分だけ突出し、その位置で折り曲げられた形状を有し、係合爪７４ａと支持面８０ａとがシリンドリカルレンズ６４ａを挟持するよう構成されている。
【００７１】
この構成により、シリンドリカルレンズ６４ａは、副走査方向に移動することを規制されている。
なお、支持面８０ａには、突起８１ａが主走査方向に中心部および両端部に３つ形成されている。これらの突起８１ａは、シリンドリカルレンズ６４ａを支持する際の精度を向上させるために設けられている。
【００７２】
また、係合爪７４ａは、シリンドリカルレンズ６４ａを通過するレーザビームの透過領域９５ａ（図４（Ｂ）において１点鎖線にて表示）に重ならないように設定されている。
次に、シリンドリカルレンズ６４ａの主走査方向両端部は、図４（Ａ）に示すように、入射面側の主走査方向両端部がスキャナユニット５０の筐体５１の一部である基準部材７３ａに接触した状態で、係止部材７５（本発明でいう付勢手段）により基準部材７３ａと係止されている。つまり、シリンドリカルレンズ６４ａの主走査方向両端部は、基準部材７３ａのシリンドリカル６４ａ側の面９０ａ（本発明でいう当接部）と係止部材７５とにより、筐体５１の支持面８０ａ上に固定されている。面９０ａは、シリンドリカルレンズ６４ａの光軸方向における基準面となっている。本実施形態において、固定手段は、基準部材７３ａと係止部材７５とから構成されている。
【００７３】
なお、係止部材７５は、例えば金属製の板バネからなり、図４（Ｃ）に示すように、基準部材７３ａに形成された小孔７６や鍵状部７７を用いてシリンドリカルレンズ６４ａを固定するよう構成されており、簡単に着脱ができるよう設定されている。
【００７４】
以上のように構成されたレーザプリンタ１ａにおいて、ポリゴンミラー６１により偏向されたレーザビームを感光ドラム２３表面に結像させるためのシリンドリカルレンズ６４ａは、レーザビームが入射する入射面１７１ａとレーザビームが出射する出射面２７１ａとを形成するレンズ部７１ａと、レンズ部７１ａの副走査方向の一端に位置し、光軸方向に沿って入射面１７１ａまたは出射面２７１ａから突出するリブ７２ａと、を備えている。
【００７５】
また、ポリゴンミラー６１を支持する筐体５１は、リブ７２ａと当接し、シリンドリカルレンズ６４ａを支持する支持面８０ａと、支持面８０ａから突出し、光軸方向に沿って延びる係合爪７４ａと、を備えている。
【００７６】
そして、筐体５１に備えられた係合爪７４ａは、シリンドリカルレンズ６４ａの主走査方向の中心部においてリブ７２ａと係合することで、シリンドリカルレンズ６４ａが筐体５１に固定されるように構成されている。
【００７７】
従って、筐体５１に備えられた係合爪７４ａが、シリンドリカルレンズ６４ａにおける主走査方向の中心部を固定するので、シリンドリカルレンズ６４ａにおける主走査方向の中心部が副走査方向に移動することを防止することができる。
【００７８】
また、シリンドリカルレンズ６４ａは、シリンドリカルレンズ６４ａにおける主走査方向の両端部を支持面８０ａに固定するよう構成されているので、シリンドリカルレンズ６４ａにおける主走査方向の両端部が、副走査方向に移動してしまうのを防止できるのは勿論、振動等により位置ずれを起こすことも防止することができる。
【００７９】
さらに、シリンドリカルレンズ６４ａを主走査方向において伸縮可能に固定しているので、シリンドリカルレンズ６４ａの主走査方向における伸縮歪みが生じても、シリンドリカルレンズ６４ａ両端部を自然に移動させることができ、シリンドリカルレンズ６４ａ内部に応力を発生させることなく、レーザビームを良好に透過させることができる。
【００８０】
また、シリンドリカルレンズ６４ａの両端部が、基準部材７３ａと係止部材７５との協働によって固定されており、シリンドリカルレンズ６４ａの両端部はシリンドリカルレンズ６４ａ位置の基準となる面９０ａに当接されて位置決めが成されているので、シリンドリカルレンズ６４ａは、シリンドリカルレンズ６４ａ両端部の２箇所で基準部材７３ａの面９０ａと当接して位置決めが成され、シリンドリカルレンズ６４ａを確実に基準位置に固定することができる。
【００８１】
なお、係合爪７４ａは、リブ７２ａにおいてレンズ部７１ａと当接する位置にまで挿通されることはなく、係合爪７４ａの先端面とレンズ部７１ａとは、隙間が形成されるよう設定されている。この構成により、シリンドリカルレンズ６４ａの両端部が基準部材７３ａの面９０ａと当接して位置決めがなされる際、係合爪７４ａが邪魔をすることなく、確実にシリンドリカルレンズ６４ａが両端部で、面９０ａに当接する。
【００８２】
また、シリンドリカルレンズ６４ａは上記のように良好に固定されるので、レーザプリンタ１ａにおいては、感光体ドラム２３上に良好な静電潜像を形成することができ、良好な画像を形成することができる。
【００８３】
なお、上述のシリンドリカルレンズ６４ａを固定する機構の用途としては、レーザプリンタ１ａに限定されるものではなく、例えば、ファクシミリ装置等の静電写真方式を採用したその他の画像形成装置や、半導体を製造する際に使用するフォトマスクのパターンを描画する描画装置等に使用することが考えられる。
【００８４】
また、ｆθレンズ６２、反射ミラー６３、およびシリンドリカルレンズ６４ａは、レーザ発光部６６から照射されるレーザビームが、ｆθレンズ６２、反射ミラー６３、シリンドリカルレンズ６４ａの順に透過または反射されるよう配置したが、ｆθレンズ６２、反射ミラー６３、およびシリンドリカルレンズ６４ａの配置は、特にこの構成に限定されるものではない。
【００８５】
さらに、シリンドリカルレンズ６４ａは、主走査方向の中心部、および両端部にて固定されるよう構成したが、主走査方向の中心部のみで固定されていてもよい。
【実施例２】
【００８６】
次に、別形態のレーザプリンタ１ｂについて説明する。本実施例（実施例２）にて説明するレーザプリンタ１ｂは、シリンドリカルレンズ６４ｂ、およびシリンドリカルレンズ６４ｂを固定する機構が実施例１と異なるのみであって、その他の構成は実施例１のレーザプリンタ１ａと同様の構成である。従って、本実施例（実施例２）では、実施例１のレーザプリンタ１ａと異なる箇所のみを詳述し、実施例１のレーザプリンタ１ａと同様の箇所については、同一の符号を付して説明を省略する。
【００８７】
実施例２のシリンドリカルレンズ６４ｂ（本発明でいうレンズ）について、図５を用いて説明する。図５（Ａ）はシリンドリカルレンズ６４ｂを図１の矢印Ｘ方向から見た側面図、図５（Ｂ）はシリンドリカルレンズ６４ｂを図１の矢印Ｙ方向から見た上面図（図５（Ａ）においてシリンドリカルレンズ６４ｂを上方から見た図）である。
【００８８】
実施例２のシリンドリカルレンズ６４ｂは、図５に示すように、実施例１のシリンドリカルレンズ６４ａのリブ７２ａを除いた構成にされている。つまり、シリンドリカルレンズ６４ｂは、レンズ部７１ｂと、レンズ部７１ｂの主走査方向両端側に位置する支持部７２ｂとにより構成されている。この構成により、実施例１のシリンドリカルレンズ６４ａに比べて、シリンドリカルレンズ６４ｂの大きさを副走査方向に小さくすることができるので、スキャナユニット５０、延いては、レーザプリンタ１ｂを小型化することが可能である。
【００８９】
レンズ部７１ｂは、レーザビームが通過（透過）する透過領域９５ｂ（図５においては一点鎖線に囲まれる領域）と、その外側に位置する非透過領域９６ｂとを有している。レーザビームは、湾曲しているレンズ部７１ｂの内側の面１７１ｂ（入射面）から外側の面２７１ｂ（出射面）に向かって通過する。
【００９０】
レンズ部７１ｂの非透過領域９６ｂにおいては、主走査方向中心部、出射面２７１ｂ側であって、副走査方向の片側に、凹部７８ｂが形成されている。この凹部７８ｂは、シリンドリカルレンズ６４ｂを固定するときに、スキャナユニット５０側の後述する係合爪７４ｂと係合し、副走査方向および主走査方向にシリンドリカルレンズ６４ｂが移動するのを規制するために形成されたものである。
【００９１】
ここで、実施例１のシリンドリカルレンズ６４ａにおいては、リブ７２ａに係合爪７４ａを係合させるよう構成したが、本実施例(実施例２)のシリンドリカルレンズ６４ｂにおいては、リブ７２ａを備えないため、スキャナユニット５０側の係合爪７４ｂと係合させるための凹部７８ｂをレンズ部７１ｂに形成しているのである。
【００９２】
次に、シリンドリカルレンズ６４ｂを固定するときの様子について、図６および図７を用いて詳述する。図６はシリンドリカルレンズ６４ｂの固定状態を示し、図６（Ａ）は、図５（Ｂ）においてシリンドリカルレンズ６４ｂを固定した状態における上面図、図６（Ｂ）は、主走査方向中心部Ｃ−Ｃにおける断面図である。また、図７（Ａ）は、図６（Ａ）におけるシリンドリカルレンズ６４ｂの主走査方向中心部を示す拡大図、図７（Ｂ）は、図６（Ａ）における主走査方向両端部を示す拡大図である。
【００９３】
シリンドリカルレンズ６４ａの主走査方向中央部は、レンズ部７１ｂに形成された凹部７８ｂと、スキャナユニット５０に固定された係合爪７４ｂとが係合することにより固定される。
【００９４】
係合爪７４ｂは、図６に示すように、ネジ７９によりスキャナユニット５０の筐体５１に固定されるよう構成されている。このため、シリンドリカルレンズ６４ｂの主走査方向中央部を固定する手順としては、先にシリンドリカルレンズ６４ｂの位置を決めておき、後から係合爪７４ｂを凹部７８ｂに挿通し、この状態で係合爪７４ｂをネジ７９により固定することにより、主走査方向中央部を固定することが考えられる。またあるいは、先にネジ７９により係合爪７４ｂをスキャナユニット５０に固定しておき、後から係合爪７４ｂと凹部７８ｂとが係合する位置にシリンドリカルレンズ６４ｂを位置決めすることにより、主走査方向中央部を固定することが考えられる。つまり、凹部７８ｂと係合させる係合爪７４ｂをネジ７９により固定する構成にすることにより、シリンドリカルレンズ６４ｂの固定手順を選択することができる。
【００９５】
また、係合爪７４ｂと凹部７８ｂとが係合した状態においては、図７（Ａ）に示すように、係合爪７４ｂと主走査方向における凹部７８ｂの内壁面とは接触（当接）するよう設定されている。この構成により、シリンドリカルレンズ６４ｂが主走査方向に移動することを防止している。
【００９６】
さらに、この状態において、係合爪７４ｂは、図６（Ｂ）に示すように、副走査方向における凹部７８ｂの内壁面とも接触するよう設定されており、この構成により、シリンドリカルレンズ６４ｂが副走査方向に移動することを防止している。
【００９７】
また、シリンドリカルレンズ６４ｂに形成された凹部７８ｂ、支持面８０ｂ（本発明でいうレンズ支持面）に固定された係合爪７４ｂ、およびネジ７９は、シリンドリカルレンズ６４ｂを通過するレーザビームの透過領域９５ｂ（図６（Ｂ）において１点鎖線にて表示）に重ならないように配置されている。即ち、シリンドリカルレンズ６４ｂのレーザビームの透過領域９５ｂよりも支持面８０ｂ側の非透過領域９６ｂに凹部７８ｂは形成されており、凹部７８ｂから近い位置で係合爪７４ｂを支持面８０ｂに固定することにより良好にシリンドリカルレンズ６４ｂを固定している。
【００９８】
なお、支持面８０ｂには、突起８１ｂが主走査方向の中心部および両端部に３つ形成されている。これらの突起８１ｂは、シリンドリカルレンズ６４ｂを支持する際の精度を向上させるために設けられている。
【００９９】
次に、シリンドリカルレンズ６４ｂの主走査方向両端部は、図６（Ａ）および図７（Ｂ）に示すように、出射面側の主走査方向両端部がスキャナユニット５０の筐体５１の一部である基準部材７３ｂに接触した状態で、付勢部材８２（本発明でいう付勢手段）により基準部材７３ｂ側に付勢されている。なお、付勢部材８２は、金属性の板バネ８３と筐体５１の一部として形成され、板バネ８３を支持する支持柱８４とから構成されている。このとき、基準部材７３ｂのシリンドリカルレンズ６４ｂ側の面９０ｂ（本発明でいう当接部）は、シリンドリカルレンズ６４ｂの光軸方向における基準面となっており、付勢部材８２による付勢力により、シリンドリカルレンズ６４ｂと基準部材７３ｂとが離れないよう構成されている。本実施形態において、固定手段は、基準部材７３ａと付勢部材８２とから構成されている。
【０１００】
なお、係合爪７４ｂは、凹部７８ｂに完全に挿通されることはなく、係合爪７４ｂの先端面と凹部７８ｂの光軸方向における壁面とは間隙が形成されるよう設定されている。この構成により、シリンドリカルレンズ６４ｂの両端部が基準部材７３ｂの面９０ｂと当接して位置決めがなされる際、係合爪７４ｂが邪魔をすることなく、確実にシリンドリカルレンズ６４ｂが両端部で面９０ｂに当接する。
【０１０１】
このように構成された実施例２のレーザプリンタ１ｂにおいて、ポリゴンミラー６１により偏向されたレーザビームを感光ドラム２３表面に結像させるためのシリンドリカルレンズ６４ｂは、レーザビームが透過する透過領域９５ｂと、透過領域から外れた領域であって、透過領域９５ｂの副走査方向の一端に位置する非透過領域９６ｂと、を備えている。さらに、このレンズの非透過領域９６ｂは、レーザビームが入射する入射面１７１ｂまたはレーザビームが射出する出射面２７１ｂにおける主走査方向の中央部に凹部７８ｂを有している。
【０１０２】
また、ポリゴンミラー６１を支持する筐体５１は、非透過領域９６ｂと当接し、シリンドリカルレンズ６４ｂを支持する支持面８０ｂと、支持面８０ｂから突出し、光軸方向に沿って延びる係合爪７４ｂと、を備えている。
【０１０３】
そして、筐体５１に備えられた係合爪７４ｂは、シリンドリカルレンズ６４ｂに形成された凹部７８ｂと係合することで、シリンドリカルレンズ６４ｂが筐体５１に固定されるように構成されている。
【０１０４】
従って、筐体５１に備えられた係合爪７４ｂが、シリンドリカルレンズ６４ｂの凹部７８ｂと係合し、シリンドリカルレンズ６４ｂにおける主走査方向の中心部を固定するので、シリンドリカルレンズ６４ｂにおける主走査方向の中心部が副走査方向に移動することを防止することができる。
【０１０５】
また、係合爪７４ｂは、凹部７８ｂにおける主走査方向に間隔をあけて位置する２つの壁面との間に当接するように構成されているので、係合爪７４ｂの主走査方向の端面と凹部７８ｂとが当接し、主走査方向において係合爪７４ｂと凹部７８ｂとの位置関係は変化することがなく、シリンドリカルレンズ６４ｂ中央部を主走査方向に対して位置決めすることができる。
【０１０６】
さらに、シリンドリカルレンズ６４ｂは、シリンドリカルレンズ６４ｂの両端部と基準部材７３ｂとが当接することにより、光軸方向における位置決めが成されるよう構成されている。そして、凹部７８ｂは光軸方向に位置する壁面を有するよう構成されており、係合爪７４ｂは、凹部７８ｂと係合した際に、凹部７８ｂにおける光軸方向に位置する壁面との間に間隙を有するよう設定されている。従って、係合爪７４ｂと凹部７８ｂにおける光軸方向に位置する壁面との間に設けられた間隙の距離分だけ、シリンドリカルレンズ６４ｂの中心部は移動することができる。
【０１０７】
加えて、基準部材７３ｂに対してシリンドリカルレンズ６４ｂを付勢する付勢部材８２を有するので、付勢部材８２によりシリンドリカルレンズ６４ｂを基準部材７３ｂの方向に適切な押圧力にて密着することができ、シリンドリカルレンズ６４ｂが基準位置からずれてしまうことを確実に防止することができる。また、シリンドリカルレンズ６４ｂの両端部は、付勢部材８２により、基準部材７３ｂに対して押圧する構成のみで固定されている。よって、シリンドリカルレンズ６４ｂの主走査方向における伸縮歪みが生じたとしても、シリンドリカルレンズ６４ｂ両端部を自然に移動させることができ、シリンドリカルレンズ６４ｂ内部に応力を発生させることなく、レーザビームを良好に透過させることができる。
【０１０８】
また、上記効果に加えて実施例１に記載した効果も同様に得られる。
なお、本実施例においては、レンズを固定するための機構をシリンドリカルレンズ６４ａを固定する機構として採用したが、特にこの構成に限らず、その他のレンズ（例えば、ｆθレンズ６２）を固定するための機構に採用してもよい。
【０１０９】
さらに、シリンドリカルレンズ６４ｂは、図８に示すシリンドリカルレンズ６４ｃのように、実施例１のシリンドリカルレンズ６４ａにおけるリブ７２ａに、実施例２のシリンドリカルレンズ６４ｂと同様の凹部７８ｃを形成するよう構成されていてもよい。この場合には、図９に示すように、実施例２のシリンドリカルレンズ６４ｂを固定する際に用いた係合爪７４ｂおよびネジ７９を使用して、シリンドリカルレンズ６４ｃを固定するよう構成すればよい。
【図面の簡単な説明】
【０１１０】
【図１】レーザプリンタを示す概略断面図である。
【図２】レーザプリンタを構成するスキャナユニットの一部を示す模式図である。
【図３】シリンドリカルレンズを図１の矢印Ｘ方向から見た側面図(Ａ)、およびシリンドリカルレンズを図１の矢印Ｙ方向から見た上面図（Ｂ）である。
【図４】シリンドリカルレンズの固定状態を示す上面図（Ａ）、主走査方向中心部Ａ−Ａにおける断面図（Ｂ）、主走査方向端部近傍Ｂ−Ｂにおける断面図（Ｃ）である。
【図５】別形態のシリンドリカルレンズを図１の矢印Ｘ方向から見た側面図(Ａ)、およびシリンドリカルレンズを図１の矢印Ｙ方向から見た上面図（Ｂ）である。
【図６】別形態のシリンドリカルレンズの固定状態を示す上面図（Ａ）、主走査方向中心部Ｃ−Ｃにおける断面図（Ｂ）である。
【図７】別形態のシリンドリカルレンズを固定したときにおける主走査方向中心部を示す拡大図（Ａ）、および主走査方向両端部を示す拡大図（Ｂ）である。
【図８】別形態のシリンドリカルレンズを図１の矢印Ｘ方向から見た側面図(Ａ)、およびシリンドリカルレンズを図１の矢印Ｙ方向から見た上面図（Ｂ）である。
【図９】別形態のシリンドリカルレンズの固定状態を示す上面図（Ａ）、主走査方向中心部Ｄ−Ｄにおける断面図（Ｂ）である。
【符号の説明】
【０１１１】
１ａ、１ｂ…レーザプリンタ、１８…プロセスユニット、１９…定着装置、２３…感光体ドラム、２４…現像カートリッジ、２５…転写ローラ、２６…トナー収容部、２７…現像ローラ、２９…トナー供給ローラ、３０…ドラムカートリッジ、３１…加熱ローラ、３２…加圧ローラ、３７…スコロトロン型帯電器、５０…スキャナユニット、５１…筐体、６０…ポリゴンモータ、６０ａ…回転軸、６１…ポリゴンミラー、６２…ｆθレンズ、６３…反射ミラー、６４ａ、６４ｂ、６４ｃ…シリンドリカルレンズ、６５…反射ミラー、６６…レーザ発光部、７１ａ、７１ｂ…レンズ部、７２ａ…リブ、７２ｂ…支持部、７３ａ、７３ｂ…基準部材、７４ａ、７４ｂ…係合爪、７５…係止部材、７６…小孔、７７…鍵状部、７８ｂ、７８ｃ…凹部、７９…ネジ、８０ａ、８０ｂ…支持面、８２…付勢部材
【図１】
2005221977.tif 000003
【図２】
2005221977.tif 000004
【図３】
2005221977.tif 000005
【図４】
2005221977.tif 000006
【図５】
2005221977.tif 000007
【図６】
2005221977.tif 000008
【図７】
2005221977.tif 000009
【図８】
2005221977.tif 000010
【図９】
2005221977.tif 000011